(57)【要約】【課題】各種廃水処理で使用される粉末あるいは顆粒状の高分子凝集剤の使用時に問題となる粉塵発生がなく、しかも溶解時の分散性が良い高分子凝集剤を提供することを課題とする。【解決手段】粉末あるいは顆粒状の高分子凝集剤において、該高分子凝集剤に対して不活性な液体を３０重量％を限度として添加、混合させる。高分子凝集剤に対して不活性な液体としては、高分子凝集剤の性能に影響を与えないものであればいずれでも良いが、特に好ましいものとしてポリオキシアルキレンおよびそのエステル、ポリオキシアルキレンエーテル、ポリオキシエチレンアルキルアミン、ポリアルキレングリコール、脂肪酸類およびそのエステル、脂肪油類、シリコンオイルなどが挙げられ、添加量を好ましくは０．１〜１０重量％とすることによって、粉塵の発生を防止でき、しかも溶解時の分散性が良好で、溶解作業性が大幅に改善することができた。【選択図】　なし【特許請求の範囲】
【請求項１】
粉末あるいは顆粒状の高分子凝集剤において、該高分子凝集剤に対して不活性な液体を３０重量％を限度として混合、含有させることを特徴とする高分子凝集剤。
【請求項２】
高分子凝集剤に対して不活性な液体として、ポリオキシアルキレンおよびそのエステル、ポリオキシアルキレンエーテル、ポリオキシエチレンアルキルアミン、ポリアルキレングリコール、脂肪酸類およびそのエステル、脂肪油類、シリコンオイルから選ばれた一種または二種以上のものであることを特徴とする請求項１記載の高分子凝集剤。
【発明の詳細な説明】
【０００１】
【発明の属する技術分野】本発明は、各種廃水処理で使用される粉末あるいは顆粒状のカチオン系、アニオン系、ノニオン系および両性系高分子凝集剤の使用時に問題となる粉塵の発生がなく、かつ溶解時の分散性が良い高分子凝集剤に関するものである。
【０００２】
【従来の技術】高分子凝集剤はその凝集性能の良さから、下水処理場を中心に廃水中の汚濁物質の凝集や汚泥の濃縮、脱水に多用されている。高分子凝集剤の形状としては、粉末系に加えてエマルジョン系とディスパージョン系がある。後二者はハンドリング面の改善を目的に、後から開発され使用されるようになってきた。しかしながら、いずれにも一長一短があり、粉末系はその種類の多さや昔から使われてきたことなどから、今なお大半の処理場で使用されている。
【０００３】しかしながら、粉末系はハンドリング面での問題点が指摘されており、取扱い時に粉塵がたちやすく、吸飲の危険性や飛散した粉末で作業者が足を滑らすなどの作業環境上の問題がある。また、溶解作業時に速やかに水となじまず、溶解までの時間を要する場合がある。溶解速度を上げるために、微粉状に粉砕することが行われるが、当然粒度分布が生じ、細かい部分が粉塵の原因となってくる。
【０００４】そこで、粉塵対策として、顆粒状にしたり、あるいは微粉部分を篩粉することが行われているが、工程が増え、また篩い分けた微粉部分はロスとなるためコストアップになり、しかも輸送中に振動や摩擦で再度微粉化し、それがまた粉塵の原因となるなど、粉塵問題を完全に解決するには至っていないのが現状である。
【０００５】
【発明が解決しようとする課題】
本発明の目的は、上記の問題点を考慮し、粉塵の原因となる微粉を篩粉処理する等の煩雑かつ不完全な操作を必要とせず、粉塵の発生のない、しかも溶解が容易な高分子凝集剤を提供することにある。
【０００６】
【課題を解決するための手段】
本発明の高分子凝集剤は、それ自体が粉塵を発生しない構成となっており、これにより微粉を除いたり、輸送中に微粉が発生するなどの問題がないなどの特長を有する。すなわち、粉末あるいは顆粒状の高分子凝集剤において、該高分子凝集剤に対して不活性な液体を３０重量％を限度として混合、含有させることによって、粉塵の発生のない高分子凝集剤が得られることを見出し、本発明に至ったものである。
【０００７】高分子凝集剤に対して不活性な液体とは、それと接触させることにより高分子凝集剤の性能に影響を全く与えないものであれば良く、さらに付加的性状としては、揮発性が少なく、ある程度の粘性あるいは保湿性を有するものが好ましい。特に好ましい不活性な液体として、ポリオキシアルキレン及びそのエステル、ポリオキシアルキレンエーテル、ポリオキシエチレンアルキルアミン、ポリアルキレングリコール、脂肪酸類およびそのエステル、脂肪油類などが挙げられ、これらの中から一種あるいは二種以上を混合して使用することができる。
【０００８】ポリオキシアルキレン及びそのエステルとしては、例えばポリオキシエチレンソルビタンモノステアレート、ポリエチレングリコールモノラウレート、ポリエチレングリコールモノオレエートなどが挙げられる。
【０００９】ポリオキシアルキレンエーテルとしては、例えばポリオキシエチレンラウリルエーテル、ポリオキシエチレンセチルエーテル、ポリオキシエチレンステアリルエーテル、ポリオキシエチレンオレイルエーテル、ポリオキシエチレンジノニルフェニルエーテルなどが挙げられる。
【００１０】脂肪酸エステル類としては、例えばポリグリセリンの脂肪酸エステル、ソルビン酸エステル類などが、脂肪油類としては例えば植物油類などが挙げられる。
【００１１】本発明によれば、粉塵の発生を完全に防止した高分子凝集剤を得ることができる。これは粉末あるいは顆粒状の高分子凝集剤に不活性な液体を混合、含有させることにより、粉塵の原因となる微粒子を大きな粒子に固定化させることができ、それによって、粉塵の発生を防止することができたと推定される。
【００１２】一方、さらに本発明のもう一つの効果として、本発明の高分子凝集剤は水中での分散性が良く、溶解作業時間を短縮できることが見出された。一般に粉末あるいは顆粒状の高分子凝集剤は比重が小さいため、溶解時、水面に浮いて固まりができやすい。一度固まりができると溶解性が悪くなるため、固まりができないように少しずつ溶解しなくてはならず、作業に長時間を要するという問題があった。
【００１３】しかしながら、本発明の高分子凝集剤は、溶解時水面に浮きにくく、水中での分散性が極めて良好で、これにより溶解作業時間を短縮できるなど、作業性が著しく向上することが見出された。この溶解作業性の改善は本発明のもう一つの効果である。
【００１４】
【発明の実施の形態】
本発明の対象となる高分子凝集剤は粉末あるいは顆粒状の凝集剤であり、カチオン系、アニオン系、ノニオン系、両性系のいずれにも適用することが可能である。これらの高分子凝集剤に添加、混合する不活性な液体の割合は、高分子凝集剤に対して３０重量％以下、好ましくは０．１〜１０重量％である。
【００１５】混合方法としては特に限定はないが、高分子凝集剤の製造工程中、微粉化工程時に添加、混合するか、あるいは粉末状高分子凝集剤を混合機中で攪拌しながら、不活性液体を添加、混合することによって本発明の高分子凝集剤を得ることができる。
【００１６】
【実施例】
以下に実施例を挙げて本発明を具体的に説明するが、本発明はこれらの実施例によって限定されるものではない。
【００１７】
実施例１
Ｎ，Ｎ−ジメチルアミノエチルアクリレートとアクリルアミドを共重合させて得た顆粒状のカチオン系高分子凝集剤にポリオキシエチレンソルビタンモノステアレートを添加量を変えて加え、混合機中で分散、含有させた。得られた処理凝集剤を空気中で落下させて、粉塵の発生状況を目視すると同時に、粉塵の原因と考えられる１００メッシュ以下の粒子の割合を篩粉によって測定した。結果は第１表に示したが、０．１％以上の添加で粉塵の発生は見られなくなった。
【００１８】
実施例２
アクリルアミドとアクリル酸ナトリウムを共重合させて得た顆粒状のアニオン系高分子凝集剤を用いて、実施例１と同様の実験を行った。結果を第２表に示した。
【００１９】
実施例３
実施例１において、ポリオキシエチレンソルビタンモノステアレートの代わりに、ポリオキシエチレンジノニルフェニルエーテルを用いた以外は同様の実験を行った。結果を第３表に示した。
【００２０】
実施例４
実施例１において、ポリオキシエチレンソルビタンモノステアレートの代わりに、食用大豆油を用いた以外は全く同様にして実験を行った。その結果、食用調合油０．１重量％を添加、混合したところ、粉塵の発生を防止できた。
【００２１】
実施例５
実施例１の中で、液体添加量１．０重量％の高分子凝集剤４ｋｇを用いて、２ｍ３の溶解槽に水を入れ、攪拌機で攪拌しながら、投入、溶解させたところ、粉塵の発生はまったく見られなかった。さらに、投入された高分子凝集剤は、速やかに水中に分散、溶解し、水面に浮いて固まりができるということはなかった。溶解作業性が大幅に改善されることを確認した。
【００２２】
実施例６
実施例１に記載の顆粒状カチオン系高分子凝集剤に、実施例３にて使用したポリオキシエチレンジノニルフェニルエーテルを１０重量％添加、混合させて得た高分子凝集剤を用いて、実施例５と同様の試験を行った。その結果、粉塵の発生はまったく認められず、また分散性、溶解性にも優れていた。
【００２３】
2004058038.tif 000002
【００２４】
2004058038.tif 000003
【００２５】
2004058038.tif 000004
【００２６】
【発明の効果】本発明の目的は、各種廃水処理で使用される粉末あるいは顆粒状の高分子凝集剤の使用時に問題となる粉塵の発生がなく、しかも溶解時の分散性が良い高分子凝集剤を提供することにあったが、実施例に示されたごとく、請求項１、２記載の発明によって実現することができた。